(57)【要約】【課題】近時のシステムキッチンでは使いやすさを勘案してコンロ台近傍に引出式のスパイスボックスが採用されるようになってきた。しかしながらスパイスボックスは細長く、またスパイスボックスの収納部も狭いため、引き込み機構のストライクをスパイスボックス本体に正確に設置したり、引き込み装置を収納部側壁に正確に設置したりすることが困難であった。【解決手段】本発明は、スパイスボックス本体の底面部に内方に向けた段辺を形成するとともに、該段辺にストライクの溝を嵌合させて固定することにより、ストライクをスパイスボックス本体に正確に、そして強固に取り付けたものである。また引き込み装置は、該ストライクの取り付けに対応してスパイスボックスの収納部側壁に取り付けられている。【選択図】図１
2012250006.tif 000002
【特許請求の範囲】
【請求項１】
キッチン家具に出し入れする引出式のスパイスボックスにおいて、スパイスボックス本体の底面部の少なくとも長手方向一側には長尺の段辺が内方に向けて形成されており、また該段辺には段辺の厚さと同一幅か或いは段辺の厚さよりも僅かに幅広の溝を有するストライクが溝を段辺に嵌合されているとともに、ストライクに穿設したネジ挿通孔から段辺にネジを螺入してストライクが段辺に固定されており、またストライクの係止突起はスパイスボックス本体の側面部よりも外方に突出していて、該係止突起がキッチン家具の側壁に取り付けた引き込み装置の係止片と係止可能となっており、スパイスボックス本体をキッチン家具の収納部に押し込んだときにストライクの係止突起が引き込み装置の係止片に係止してスパイスボックスがゆっくりと、しかも最奥まで引き込まれることを特徴とするスパイスボックス。
【発明の詳細な説明】
【技術分野】
【０００１】本発明は、システムキッチンの家具に設置する引出式のスパイスボックスに関する。
【背景技術】
【０００２】家庭で作る料理には、ブラックペッパー、クローブ、パプリカ、コリアンダー、ターメリック、ナツメグ等のスパイスを入れることが多い。家庭の料理に入れるスパイスは、料理店と違い、大量に使うものではなく、また長期間使用しないでいると、変質してしまうため、使い易い５０ｃｃ程度のガラス瓶に入れられている。これらスパイスを入れたビン（以下、単にスパイス瓶という）は適当な大きさの箱に並べて、その箱を吊り戸棚や食器棚の中にしまっておいたり、スパイス瓶を直接調理台やコンロ台の引出の中に置いたりしていた。【０００３】一般にスパイス瓶を箱に並べて吊り戸棚や食器棚にしまっておく場合、料理中に吊り戸棚や食器棚の扉を開いて、スパイス瓶が並んだ箱を取り出し、箱を調理台の上に置いてから、必要なスパイス瓶を取り出していた。しかしながらスパイスは、味見をしながらコンロにかけた加熱中の調理器具の中に直接添加することが多く、スパイス瓶は手近に置く方が使い易いものである。ところがコンロから離れたところにある吊り戸棚や食器棚にスパイスを入れた箱を置いておくと、スパイスの必要時に吊り戸棚や食器棚まで行って、その箱を取り出し、そしてスパイス瓶の使用後、また箱をしまいに行くという手間が掛かっていた。またスパイス瓶を入れた箱をしまう手間を省くため、箱を調理台の上に置いておくと、今度は料理の邪魔となってしまう。【０００４】また調理台やコンロ台の引出の中に直接スパイス瓶を置いておく場合、本来、該引出は茶碗、皿、フォーク、ナイフ等の食器類を収納するに適した大きさに作られているため、比較的小さなスパイス瓶を引き出しの中に直接置くには適さない。つまり大きな引出の中に小さなスパイス瓶を多数並べて置いておくと、引出の開閉時に引出の振動や衝撃でスパイス瓶が倒れたり、位置が移動したりして不整列となってしまう。従って、スパイス瓶をこれらの引出の中に置いておく場合、引出の開閉都度、不整列となったスパイス瓶を並び直さなければならないものであった。【０００５】このような不都合に鑑み、近時のキッチン家具、特にシステムキッチンでは、スパイス瓶を収納するスパイスボックスが料理を加熱して味付けするコンロ台の近傍に設置されるようになってきた（特許文献１）。このスパイスボックスとは、小さなスパイス瓶が一列に並ぶ程の幅を有し、奥行がコンロ台の奥行よりも少し短い箱状のものである。該スパイスボックスは引出式となっており、料理中にスパイスボックスを開けて必要なスパイス瓶だけを取り出し、調理器具の中の加熱中の料理に添加した後、またスパイスボックスに戻すことができるため、非常に便利となっている。【０００６】  従来のスパイスボックスは、引出の開閉が容易に行えるように、スパイスボックス本体の両側にローラーが設置されており、該ローラーがスパイスボックスを収納するシステムキッチンの側壁に敷設したレール上を転動するようになっている。このように引出の開閉が容易に行えるようになったスパイスボックスでは、スパイスボックス内にスパイス瓶が隙間をもって並んでいると、スパイスボックスを勢いよく閉めた際に、その勢いでスパイス瓶が奥方に移動し、隣接したスパイス瓶同士がぶつかって「ガチャガチャ」という���快音を発生させるばかりでなく、あまりにも勢いが強すぎるとスパイス瓶を破損させたり、ヒビ割れさせたりする恐れもあった。【０００７】ところで、従来より引出が設置された家具やキャビネットでは、引出を勢いよく閉めても、その勢いを緩衝してゆっくりと閉めるとともに、引出を家具の最奥まで完全に押し込まなくても、引出を閉める途中まで閉めれば、その後は引出を自動的に最奥まで引き込むという引き込み機構が設置されている。（特許文献２、３）【０００８】この引き込み機構とは、引き込み装置とストライクから成るものであり、引き込み装置には引張バネとダンパーが内蔵されていて、該引張バネとダンパーの端部には上部に突出した係止片が取り付けられており、ストライクには引き込み装置の係止片と係合する係止突起が形成されている。ストライクを引出の側板に取り付け、引き込み装置を家具本体の側壁に取り付ける。このようにして取り付けられた引き込み機構では、開いていた引出を閉めると、閉める途中でストライクの係止突起が引き込み装置の係止片に係合し、引き込み装置の引張バネで引出を家具の奥方に引き込むと同時に、ダンパーが引き込むときの勢いを緩衝するようになっている。【０００９】
【先行技術文献】
【特許文献】
【００１０】
【特許文献１】特開２０１０−２９５２７号公報
【特許文献２】特開２００８−２６４４３号公報
【特許文献３】特開２００９−３９４９０号公報
【発明の概要】
【発明が解決しようとする課題】
【００１１】スパイスボックスでも、この引き込み機構を採用したいところであるが、全体が一体成型されたスパイスボックス本体にストライクを正確に取り付けることが困難であるためスパイスボックスに引き込み機構を採用できなかった。つまり引き込み機構では引き込み装置の係止片とストライクの係止突起とを正確に係合させなくてはならないが、システムキッチンではスパイスボックス収納個所が狭いため、これらの正確な係合ができなかったからである。例えば、ストライクの係止突起が収納部の側壁方向に突出しすぎると、該係止突起が収納部の側壁に当たってスパイスボックスの円滑な摺動を妨げるようになり、しかるに係止突起の横方への突出が少なすぎると、収納部の側壁に取り付けた引き込み装置の係止片に係合できなくなって、引き込み機構の効果を全く発揮できなくなる。そのためスパイスボックスへのストライクの取り付けは、係止突起が常に一定の突出状態となっていなければならない。【００１２】一般の家具に用いられる引出は、比較的大きく、また引出の収納部も大きいため、ストライクの多少の取り付け誤差もあまり問題とならなかった。一方、スパイスボックスにおいては、前述のようにストライクを横方に正確に取り付けなければならないが、スパイスボックスは、一般家具の引き出しに比べて小さく、またスパイスボックス全体が一体成型されているため、ストライクの取り付けが困難で取り付け位置が定まりにくいものであった。
本発明は、スパイスボックスでのストライクの取り付け位置が正確で、しかも取り付けが容易に行えるというスパイスボックスを提供することにある。
【課題を解決するための手段】
【００１３】本発明者は、長尺物に長手方向に段辺を形成し、該段辺に物体の溝を嵌合させて、物体を移動させても、その物体は長尺物に対して、常に一定の位置にあることに着目して本発明を完成させた。【００１４】本発明は、キッチン家具に出し入れする引出式のスパイスボックスにおいて、スパイスボックス本体の底面部の少なくとも長手方向一側には長尺の段辺が内方に向けて形成されており、また該段辺には段辺の厚さと同一幅か或いは段辺の厚さよりも僅かに幅広の溝を有するストライクが溝を段辺に嵌合されているとともに、ストライクに穿設したネジ挿通孔から段辺にネジを螺入してストライクが段辺に固定されており、またストライクの係止突起はスパイスボックス本体の側面部よりも外方に突出していて、該係止突起がキッチン家具の側壁に取り付けた引き込み装置の係止片と係止可能となっており、スパイスボックス本体をキッチン家具の収納部に押し込んだときにストライクの係止突起が引き込み装置の係止片に係止してスパイスボックスがゆっくりと、しかも最奥まで引き込まれることを特徴とするスパイスボックスである。
【発明の効果】
【００１５】本発明によれば、ストライクに形成された溝をスパイスボックスに対して長手方向平行に形成された段辺に嵌合するため、スパイスボックスの長手方向において如何なる位置でも、ストライクの係止突起の横方に突出する状態が一定となり、引き込み装置の係止片との係合を確実に行うことができるばかりでなく、係止突起が狭い収納部の壁面に当たってスパイスボックスの円滑な開閉を妨げることがない。【００１６】また本発明によれば、ストライクの溝が段辺に嵌合しているため、ストライクに穿設したネジ穴からネジを挿入してアングル材に固定するだけで、ストライクに大きな力が掛かってもストライクが回動するようなことがない。
【図面の簡単な説明】
【００１７】
【図１】本発明スパイスボックスの斜視図
【図２】同側面図
【図３】同正面図
【図４】本発明に使用する引き込み装置の正面断面図
【図５】本発明に使用するストライクの斜視図
【図６】同正面図
【図７】図６のＡ−Ａ線断面図
【図８】本発明に使用するストライクの平面図
【図９】スパイスボックスへのストライクの取り付け段階を説明する斜視図
【図１０】スパイスボックスへのストライクの取り付け状態を説明する斜視図
【図１１】スパイスボックスへのストライクの取り付け状態を説明する正面部分断面図
【発明を実施するための形態】
【００１８】以下、図面に基づいて本発明を説明する。
【００１９】本発明のスパイスボックスは、本体１が無蓋の細長い箱状であり、正面部２、側面部３、３、奥面部４、底面部５が樹脂で一体成型されている。正面部２の外側には、デザインと強度的な要素を勘案して縦型の多数の把持部６・・・が形成されている。側面部３は正面部２近くが正面部と同じの高さであるが、途中から高さが低くなっている。このように側面部３の高さを途中から低くしておくと、スパイスボックスの中に収納したスパイス瓶が側面部に邪魔されることなく容易に取り出せる。
【００２０】スパイスボックス本体１の底面部５の長手方向両側には内方に向けた段辺７、７が形成されている。該段辺は本体と一体成型されていてもよいが、一般にはシステムキッチン作製時に引き込み機構の採用は考えられてなく、後述ストライクを取り付けるための段辺は一体成型されていない。従って、段辺が一体成型されていない場合は、段辺を後付けすることになる。段辺の後付けとしては、実施例に示すアングル材が好適である。アングル材の縦方の一片をスパイスボックス本体１の側面部３の下部に接着剤またはビス等で固定する。このときアングル材の横方の一片は本体１の底面部５から離間して内向けにすることにより段辺７を形成することができる。
【００２１】  段辺の形成は、底面部の片側だけでもよいし、両側に形成してもよい。後述引き込み機構は、一般の比較的大きくて重量のある引出に採用する場合、二セットの引き込み機構が必要となるため、引出の両側にストライクを取り付けるが、小さくて重量の軽いスパイスボックスに採用する場合、一セットの引き込み機構で十分であるため、ストライクを取り付ける段辺は片側だけでもよい。しかしながら、システムキッチンのスパイスボックス収納部の側壁への後述引き込み装置の左右どちらかへの取り付けが決められていない場合、例えば一方の側壁には取り付け用のネジが螺入できなかったり、取り付け作業がしにくかったりすることがある。そのようなことから本体の底面部には両側に段辺を形成しておけば、ネジが螺入しやすかったり、作業がしやすかったりする方を選択できるためストライクは左右どちらにも取り付けられるように段辺を両側に形成しておくとよい。
【００２２】段辺７を底面部５の両側に形成する場合、相対抗する段辺間に複数の桟８・・・を架橋しておくとよい。該桟は段辺７に外方から強い力が掛かった場合に段辺の変形を防いだり、後述ストライクを係合させることにより、ストライクの一層の安定をはかることができる。段辺に架橋する桟の好ましい位置は、後述ストライクを取り付ける位置である。
【００２３】  段辺７には適宜個所にネジ穴９・・・が螺設されている。ネジ穴９・・・は後述ストライクの固定用のものであるため、ストライク取り付けに適した位置が望ましい。特に望ましい位置は、前述の桟を架橋した位置である。
【００２４】  また本体１の側面部３の奥方端部には一対のローラー１０、１０が設置されている。該ローラーは、キッチン家具収納部の側壁１１に取り付けた図示しないレール上を転動するようになっており、スパイスボックスの開閉を円滑にするものである。
【００２５】キッチン家具収納部の側壁１１には引き込み装置２０がネジで取り付けられている。ここで本発明に使用して好適な引き込み装置を図４で簡単に説明する。引き込み装置２０は、ケース２１、ランナー２２、引張バネ２３、ダンパー２４から構成されている。ケース２１には両側横方にガイド溝２５が長手方向水平に形成されており、先端部が斜め下方に屈曲した屈曲部２６となっている。ランナー２２は第一ガイドピン２７と第二ガイドピン２８が横方に突出しており、これらのガイドピンがガイド溝２５内を移動するようになっている。そしてランナー２２には第一係止片２９、第二係止片３０が上方に突出して形成されている。
【００２６】引張バネ２３は、一端がランナー２２に係止され、他端がケース２１の端部に係止されおり、常時ランナー２２を引張っている状態となっている。ダンパー２４は、シリンダー３１内にピストン３２が移動自在に設置されている。該ピストンにはロッド３３が固定されており、さらにロッド３３の先端は前述ランナー２２に係合されている。ダンパー２４は、シリンダー３１内でピストン３２が移動するときに、空気を徐々に流出させることにより、勢いよく移動するランナーの移動を緩衝させるものである。
【００２７】上記構造からなる引き込み装置でのランナーの移動について説明する。ランナー２２は引張バネ２３に引張られており、ガイド溝２５の水平部奥方に位置している。この引張バネのバネ力に抗してランナー２２を移動させると、ランナー２２の第一ガイドピン２７と第二ガイドピン２８はガイド溝２５内を移動する。すると第一ガイドピン２７はガイド溝２５の屈曲部２６の端部に位置し、第二ガイドピン２８は水平部に位置する。この状態では引張バネ２３は長く伸ばされているため、ランナー２２に対して引き戻す大きな力が働いているが、ランナー２２にかかっている力を外しても、第一ガイドピン２７がガイド溝２５の屈曲部２６に引っ掛かっているため、ランナーはロックされた状態となっていて、この位置に留まる。このときランナー２２は、図４の二点鎖線で示すように傾斜しているため、第一係止片２９はケース２１内に没しており、第二系止片３０がケース２１から突出している。
【００２８】  ランナー２２がガイド溝２５の水平部の最奥にある状態において、ランナーの第一ガイドピン２７をガイド溝２５の屈曲部２６に移動させるには、ストライクで行う。
【００２９】そこで本発明に使用して好適なストライクについて図５〜８で説明する。ストライク４０は、図７に示すように上面４１と側面４２からなる断面が略Ｌ字形のものであり、両脇に補強用のフランジ４３、４３が付されている。上面４１の端部には横方に向いた溝４４が形成されている。該溝の間隙は前述段辺７の厚さと略同一か僅かに広くなっている。ストライクの溝４４は、段辺７に嵌合するためのものであるが、ストライクが樹脂のように多少柔軟性を有する材料で成型されている場合、溝幅が段辺と略同一であっても嵌合時に少し開いて挿入でき密着状態となる。
【００３０】  また側面４２の下部には横方に突出した係止突起４５が形成されている。係止突起４５の横幅Ｈは、前述引き込み装置２０の第一係止片２９と第二係止片３０間の間隔よりも少し小さくなっている。ストライク４０の上面４１の中心部にはネジ挿通孔４６が穿設されている。さらにストライク４０には、溝４４形成部分の中央に切り込み４７が付されている。該切り込みは、前述一対の段辺間に架橋した桟８に嵌入して、ストライクをさらに安定させるものである。
【００３１】次に本発明スパイスボックスにおいて、段辺へのストライクの取り付けを図９〜１１で説明する。ストライク４０は、係止突起４５をスパイスボックス本体１に対して外方を向くようにし、上面４１を上向きにして下方より段辺７にあてがってからストライク４０を外方に移動させる。するとストライク４０の溝４４が段辺７に嵌合する。このとき段辺７のネジ穴９とストライクのネジ挿通孔４６が一致する位置にストライク４０を移動させる。そしてネジ挿通孔４６からネジ４８を挿通してネジ穴９に螺入する。
【００３２】このようにしてスパイスボックスにストライクが取り付けられたならば、次に引き込み装置２０の収納部への取り付けとなる。先ず引き込み装置２０のランナー２２を図４の実線で示す最奥位置にしておく。そしてスパイスボックスに取り付けられたストライクの係止突起４５を第一係止片２９と第二係止片３０の間にある位置にしてから、引き込み装置２０を収納部の側壁１１にネジで取り付ける。
【００３３】さらに本発明のスパイスボックスにおけるスパイスボックスの開閉について説明する。スパイスボックスを開けたときは、ストライク４０の係止突起４５はキッチン家具の収納部から外方に出ており、このときは当然引き込み装置２０の二つの係止片２９、３０から外れている。またこのとき引き込み装置では、図４の二点鎖線で示すように二つの係止片２９、３０は収納部の入口方向（図２、４では左方向）にあり、第一系止片２９はケース２１内に没していて、ランナー２２は引張バネ２３で奥方に引張られた状態となっている。
【００３４】  そしてスパイスボックスを閉める方向（図２、４では右方向）に押し込むと、ストライク４０の係止突起４５が第二系止片３０に当たり、ランナー２２のロックを解除する。すると隠れていた第一系止片２９が立ち上がって係止突起４５に係止するとともに、引張バネにより係止突起４５が奥方に移動する。つまりスパイスボックスを収納部の途中まで押し込めば、後は引き込み装置がスパイスボックスを奥方まで完全に引き込むようになる。
【００３５】またスパイスボックスを閉めるときに、勢いよく押し込んでも引き込み装置２０内にはダンパー２４が内蔵されているため、勢いを該ダンパーが緩衝してスパイスボックスを緩やかに最奥まで引き込むようになる。
【産業上の利用可能性】
【００３６】本発明では、スパイスボックスにおいて優れた効果を奏するものであるが、幅の狭い引出、例えば化粧台のリップスティック入れのようなものにも適応可能である。
【符号の説明】
【００３７】  １  スパイスボックス本体
２  前面部
３  側面部
４  奥面部
５  底面部
７  段辺
８  桟
９  ネジ穴
１０  ローラー
２０  引き込み装置
４０  ストライク
４１  上面
４２  側面
４４  溝
４５  係止突起
４６  ネジ挿入孔
【図１】
2012250006.tif 000003
【図２】
2012250006.tif 000004
【図３】
2012250006.tif 000005
【図４】
2012250006.tif 000006
【図５】
2012250006.tif 000007
【図６】
2012250006.tif 000008
【図７】
2012250006.tif 000009
【図８】
2012250006.tif 000010
【図９】
2012250006.tif 000011
【図１０】
2012250006.tif 000012
【図１１】
2012250006.tif 000013